(57)【要約】【課題】優れた着け心地の吸収性物品に関する。【解決手段】吸収性物品は、吸収性コアを備える。上記吸収性コアには、吸水性繊維及び該吸水性繊維より吸水性が低い合成繊維が配合される。上記吸収性コアは、長手方向に対向する前方部及び後方部と、上記前方部及び上記後方部の間に配置され、上記前方部及び上記後方部よりも幅方向の寸法が小さい中間部と、を有する。【選択図】図５
2020039533.tif 000002
【特許請求の範囲】
【請求項１】
吸収性コアを備える吸収性物品であって、
前記吸収性コアには、吸水性繊維及び該吸水性繊維より吸水性が低い合成繊維が配合され、
前記吸収性コアは、長手方向に対向する前方部及び後方部と、前記前方部と前記後方部との間に配置され、前記前方部及び前記後方部よりも幅方向の寸法が小さい中間部と、を有する
吸収性物品。
【請求項２】
吸収性コアは、低坪量部と、低坪量部よりも坪量が高い高坪量部と、を含み、
前記中間部では、前記幅方向の中央部が高坪量部であり、前記幅方向の両端部が低坪量部である
請求項１に記載の吸収性物品。
【請求項３】
前記前方部及び前記後方部が低坪量部である
請求項２に記載の吸収性物品。
【請求項４】
前記低坪量部の坪量は、前記高坪量部の坪量の３５％以上７０％以下である
請求項２又は３に記載の吸収性物品。
【請求項５】
前記高坪量部では、前記低坪量部よりも合成繊維の配合比が低い
請求項２から４のいずれか１項に記載の吸収性物品。
【請求項６】
前記吸収性コアには、２．５重量％以上６０重量％以下の合成繊維が配合されている
請求項１から５のいずれか１項に記載の吸収性物品。
【請求項７】
前記中間部では、合成繊維が前記幅方向に配向している
請求項１から６のいずれか１項に記載の吸収性物品。
【請求項８】
前記吸収性コアを被覆し、前記中間部から前記幅方向の外側に延出する延出部を有するコアラップシートを更に備える
請求項１から７のいずれか１項に記載の吸収性物品。
【発明の詳細な説明】
【技術分野】
【０００１】
本発明は、生理用ナプキンなどの吸収性物品に関する。
【背景技術】
【０００２】
特許文献１には、着用者の排泄部に対向する排泄部対向部に坪量の高い高坪量部が設けられた吸収性コアを有する生理用ナプキンが開示されている。この生理用ナプキンでは、吸収性コアの高坪量部の作用によって、排泄部対向部における液状物の吸収性が高まるとともに、排泄部との間に隙間が生じにくくなる。このため、この生理用ナプキンでは、液漏れの発生を抑制することができる。
【先行技術文献】
【特許文献】
【０００３】
【特許文献１】特開２０１４−１０４０９３号公報
【発明の概要】
【発明が解決しようとする課題】
【０００４】
しかしながら、上記の生理用ナプキンでは、高坪量部の剛性が高いため、高坪量部が設けられた排泄部対向部が変形しにくくなる。また、吸収性コアは吸液すると硬くなるため、吸液した高坪量部では更に剛性が高くなる。したがって、この生理用ナプキンでは、吸収性コアから着用者の鼠蹊部に加わる圧力が大きくなるため、着用者に対して鼠蹊部の擦れによる不快感を与えやすくなる。
【０００５】
本発明の課題は、優れた着け心地の吸収性物品に関する。
【課題を解決するための手段】
【０００６】
本発明の一形態に係る吸収性物品は、吸収性コアを備える。
上記吸収性コアには、吸水性繊維及び該吸水性繊維より吸水性が低い合成繊維が配合される。
上記吸収性コアは、長手方向に対向する前方部及び後方部と、上記前方部と上記後方部との間に配置され、上記前方部及び上記後方部よりも幅方向の寸法が小さい中間部と、を有する。
【発明の効果】
【０００７】
本発明によれば、吸収性物品における優れた着け心地を実現可能である。
【図面の簡単な説明】
【０００８】
【図１】本発明の一実施形態に係るナプキンの斜視図である。
【図２】上記ナプキンを平面に沿って展開して示す平面図である。
【図３】上記ナプキンの図２のIII−III線に沿った断面図である。
【図４】上記ナプキンの吸収性コアの平面図である。
【図５】上記ナプキンの吸収体の部分断面図である。
【発明を実施するための形態】
【０００９】
以下、図面を参照しながら、本発明の一実施形態を説明する。
図面には、適宜相互に直交するＸ軸、Ｙ軸、及びＺ軸が示されている。Ｘ軸、Ｙ軸、及びＺ軸は全図において共通である。
【００１０】
［ナプキン１の全体構成］
図１に示すナプキン１は、着用者の経血などの液状物を吸収するための吸収性物品である生理用ナプキンであり、例えば、就寝中に利用される夜用の生理用ナプキンとして構成される。図２は、図１に示すナプキン１をＸＹ平面に沿って引き延ばした展開図として示している。図２に示すナプキン１では、Ｘ軸方向が長手方向に対応し、Ｙ軸方向が幅方向に対応し、Ｚ軸方向が厚み方向に対応する。
【００１１】
なお、本明細書では、ナプキン１の長手方向について、着用者の前方に位置する側をＸ軸方向前側とし、着用者の後方に位置する側をＸ軸方向後ろ側とする。また、ナプキンの幅方向について、着用者の左に位置する側をＹ軸方向左側とし、着用者の右に位置する側をＹ軸方向右側とする。更に、ナプキン１の厚み方向について、着用者の肌に近い側をＺ軸方向上側とし、着用者の着衣に近い側をＺ軸方向下側とする。
【００１２】
ナプキン１は、本体部Ｍと、ウイング部Ｗと、フラップ部Ｆと、を備える。本体部Ｍは、Ｘ軸方向に沿って帯状に延びる。ウイング部Ｗ及びフラップ部Ｆは、本体部ＭからＹ軸方向外側に延出する。ウイング部Ｗは本体部ＭのＸ軸方向中央部の前方寄りに位置し、フラップ部Ｆはウイング部ＷよりもＸ軸方向後方に位置している。なお、ナプキン１では、ウイング部Ｗ及びフラップ部Ｆは必須の構成ではない。
【００１３】
図３に示すように、ナプキン１は、吸収体１１と、表面シート１２と、裏面シート１３と、サイドシート１４と、を備える。裏面シート１３は、本体部Ｍ及びウイング部Ｗにわたって延び、Ｚ軸方向上側に吸収体１１、表面シート１２、及びサイドシート１４を保持する。吸収体１１は、本体部Ｍに位置し、Ｚ軸方向上側から表面シート１２に覆われている。サイドシート１４は、ウイング部Ｗ及びフラップ部Ｆに位置する。
【００１４】
表面シート１２は、液透過性を有し、Ｚ軸方向上側から排泄された液状物を吸収体１１に透過させる。吸収体１１は、表面シート１２を透過した液状物を吸収可能に構成されている。裏面シート１３は、防漏性を有し、吸収体１１からＺ軸方向下方への液漏れを防止する。また、裏面シート１３のＺ軸方向下側には、ナプキン１を下着に固定するための粘着部１５が設けられている。
【００１５】
吸収体１１は、吸収性コア２０と、吸収性コア２０を被覆するコアラップシート３０と、を有する。コアラップシート３０は、例えばティッシュペーパーなどの液透過性のシートで構成され、表面シート１２を透過した液状物を吸収性コア２０に透過させる。吸収性コア２０は、コアラップシート３０を透過した液状物を吸収して保持する。以下、吸収体１１の詳細構成について説明する。
【００１６】
［吸収体１１の詳細構成］
（吸収性コア２０の平面形状）
図４に示すように、吸収性コア２０は、Ｘ軸方向に帯状に延びる。また、吸収性コア２０は、Ｘ軸方向に並ぶ、前方部２１、中間部２２、及び後方部２３を有する。つまり、吸収性コア２０では、前方部２１及び後方部２３が、中間部２２を挟んでＸ軸方向に対向している。吸収性コア２０は、前方部２１、中間部２２、及び後方部２３のいずれにおいても、Ｙ軸方向に左右対称な平面形状を有する。
【００１７】
吸収性コア２０は、前方部２１と後方部２３とでＹ軸方向の寸法が等しく、着用者の鼠蹊部によってＹ軸方向左右から挟まれる中間部２２においてＹ軸方向に括れた形状を有する。これにより、吸収性コア２０では、より多くの液状物を吸収できるように前方部２１及び後方部２３のＹ軸方向の寸法を大きくしても、中間部２２と着用者の鼠蹊部との間に加わる圧力を低く留めることができる。
【００１８】
このため、ナプキン１は、着用者に対して、中間部２２と鼠蹊部とが強く擦れ合うことによる不快感を与えにくい。また、ナプキン１では、着用者の鼠蹊部から中間部２２に加わる力の影響による吸収性コア２０の変形や位置ずれの発生を抑制することができる。これにより、ナプキン１では、例えば着用者の寝返りなどの動作時における液漏れを防止することができる。
【００１９】
中間部２２は、人間の鼠蹊部の通常の間隔よりもＹ軸方向にやや広く形成することが好ましい。これにより、中間部２２では、着用者の鼠蹊部に挟まれて適度にＹ軸方向に圧縮変形することにより、着用者の鼠蹊部との間に隙間が発生しにくくなる。このような観点から、中間部２２のＹ軸方向の寸法は、好ましくは３５ｍｍ以上７５ｍｍ以下であり、より好ましくは４０ｍｍ以上７０ｍｍ以下である。
【００２０】
なお、吸収性コア２０のＹ軸方向の寸法は、前方部２１と後方部２３とで異なっていてもよい。また、吸収性コア２０では、前方部２１、中間部２２、及び後方部２３のそれぞれにおけるＹ軸方向の寸法が一定でなくてもよく、前方部２１、中間部２２、及び後方部２３が曲線的な輪郭を有していてもよい。更に、吸収性コア２０における前方部２１、中間部２２、及び後方部２３のＸ軸方向に占める比率は適宜決定可能である。
【００２１】
（低坪量部２４及び高坪量部２５）
吸収性コア２０は、低坪量部２４及び高坪量部２５を有する。低坪量部２４と高坪量部２５とでは、坪量が相互に異なる。高坪量部２５は、図４にドットパターンで示す領域に配置され、つまり中間部２２のＹ軸方向中央部にＸ軸方向に沿って延在する。低坪量部２４は、高坪量部２５以外の領域に配置され、つまり中間部２２のＹ軸方向両端部、前方部２１、及び後方部２３に亘って存在する。
【００２２】
図３に示すように、高坪量部２５は、そのＹ軸方向両側の低坪量部２４に対してＺ軸方向上方に突出しており、低坪量部２４よりも坪量が高い。これにより、吸収性コア２０では、中間部２２のＹ軸方向の寸法を縮小しても、中間部２２における液状物の吸収量を充分確保することができる。また、高坪量部２５が排泄部側に突出しているため、中間部２２と排泄部との間に隙間が発生しにくくなる。
【００２３】
この一方で、坪量が低い低坪量部２４では、剛性が低く抑えられるため、柔らかい質感が得られる。ナプキン１では、中間部２２のＹ軸方向両端部が低坪量部２４であるため、中間部２２から着用者の鼠蹊部に加わる圧力を更に抑えることができる。これにより、ナプキン１では、鼠蹊部における中間部２２の擦れによる着用者の不快感を更に低減することができる。
【００２４】
また、ナプキン１では、低坪量部２４である中間部２２に着用者の鼠蹊部から加わる圧力も低減されるため、吸収性コア２０の変形や位置ずれの発生を更に抑制することができる。加えて、ナプキン１では、中間部２２のＹ軸方向両端部と同様に低坪量部２４である前方部２１及び後方部２３でも柔らかい質感が得られるため、着用者の快適性を更に向上させることができる。
【００２５】
吸収性コア２０には、高坪量部２５の周縁を囲む周縁溝部２５ａが設けられている。周縁溝部２５ａは、Ｚ軸方向に肉薄であるため、剛性が低くなっている。このため、吸収性コア２０では、周縁溝部２５ａによって高坪量部２５の硬い質感が着用者の鼠蹊部に伝わりにくくなる。これにより、ナプキン１では、高坪量部２５の存在によって着用者に与える違和感を低減することができる。
【００２６】
低坪量部２４及び高坪量部２５の坪量は、適宜決定可能である。一例として、高坪量部２５の坪量は、好ましくは２５０ｇ／ｍ２以上７００ｇ／ｍ２以下であり、より好ましくは３００ｇ／ｍ２以上６５０ｇ／ｍ２以下である。また、低坪量部２４の坪量は、好ましくは高坪量部２５の坪量の３５％以上７０％以下である。これにより、ナプキン１では、充分な吸液量と優れた着け心地とを両立することができる。
【００２７】
なお、高坪量部２５は、図３，４に示す構成に限定されない。例えば、高坪量部２５の平面形状は、図４に示すようなＸ軸方向両端部が丸みを帯びた形状ではなく、角ばった矩形状であってもよい。また、吸収性コア２０では、液状物の吸収性が充分に確保できる場合などには、高坪量部２５を省略してもよい。この場合、吸収性コア２０の坪量は、その全体にわたって均一とすることができる。
【００２８】
（吸収性コア２０を構成する繊維）
吸収性コア２０には、その主成分として、吸水性繊維及び該吸水性繊維より吸水性が低い合成繊維（以下、本明細書では単に合成繊維と言う）が配合されている。吸水性繊維は、液状物を吸収して保持する機能を有する。この一方で、合成繊維は、液状物を吸収して保持する機能が吸水性繊維より低い。吸収性コア２０では、吸水性繊維のみでは得られない柔らかい質感を得るために、敢えて吸液機能が低い合成繊維が配合される。
【００２９】
吸水性繊維は、相互に連結することによって凝集する性質を有する。このため、吸水性繊維のみで構成される吸収性コアでは、吸水性繊維の凝集によって吸水性繊維間の隙間を構成する空間が失われることにより硬くなりやすい。また、吸水性繊維が凝集した吸収性コアは、吸液することによって更に硬くなる。吸収性コアが硬くなることにより、吸収性コアによる着用者の鼠蹊部における強い擦れが発生しやすくなる。
【００３０】
本実施形態に係る吸収性コア２０では、合成繊維が吸水性繊維の凝集を抑制する作用を有する。つまり、吸収性コア２０では、吸水性繊維の間に存在する合成繊維が吸水性繊維同士の連結を妨げることにより、吸水性繊維間の隙間を構成する空間を確保することができる。これにより、吸収性コア２０では、凝集していない吸水性繊維本来の柔らかい質感が維持される。
【００３１】
また、合成繊維は、吸水性繊維とは異なり、液状物に触れても変化が生じにくい。このため、吸収性コア２０では、吸液後にも合成繊維における吸水性繊維同士の連結を妨げる機能が損なわれず、吸水性繊維間の隙間を構成する空間を確保することができる。これにより、吸収性コア２０は、吸水性繊維が液状物を吸収して膨潤した状態においても硬くなりにくい。
【００３２】
本明細書において、「吸水性」という用語は、例えば、パルプは吸水性と言ったように、当業者にとって容易に理解できるものである。同様に、熱可塑性繊維は非吸水性であることも、容易に理解され得る。一方で、合成繊維などの繊維の吸水性の程度は下記方法により測定される水分率の値によっても判定できる。吸水性繊維としては、斯かる水分率が６％以上であることが好ましく、さらに１０％以上が好ましい。一方で、非吸水性繊維は、斯かる水分率が６％未満であることが好ましく、さらに４％未満が好ましい。尚、斯かる水分率が６％未満の場合、当該繊維は非吸水性繊維と判定され、６％以上の場合、当該繊維は吸水性繊維と判定される。
【００３３】
以下、水分率の測定方法について説明する。水分率は、ＪＩＳ Ｐ８２０３の水分率試験方法を準用して算出した。即ち、繊維試料を温度４０℃、相対湿度８０％ＲＨの試験室に２４時間静置後、その室内にて絶乾処理前の繊維試料の重量Ｗ（ｇ）を測定した。その後、温度１０５±２℃の電気乾燥機（例えば、株式会社いすゞ製作所製）内にて１時間静置し、繊維試料の絶乾処理を行った。絶乾処理後、温度２０±２℃、相対温度６５±２％の標準状態の試験室にて、旭化成（株）製サランラップ（登録商標）で繊維試料を包括した状態で、Ｓｉシリカゲル（例えば、豊田化工（株）製）をガラスデシゲータ内（例えば、（株）テックジャム製）に入れて、繊維試料が温度２０±２℃になるまで静置する。その後、繊維試料の恒量Ｗ'（ｇ）を秤量して、次式により繊維試料の水分率を求める。
水分率（％）＝（Ｗ−Ｗ'／Ｗ'）×１００
【００３４】
このように、ナプキン１では、合成繊維の作用によって、中間部２２と着用者の鼠蹊部との間に加わる圧力を低減することができる。つまり、ナプキン１では、中間部２２がＹ軸方向に括れている構成と、中間部２２のＹ軸方向両端部が低坪量部２４である構成と、吸収性コア２０に合成繊維を配合する構成と、の相乗効果によって、中間部２２と着用者の鼠蹊部との間に加わる圧力をより効果的に低減することができる。
【００３５】
このため、本実施形態に係るナプキン１では、鼠蹊部における中間部２２の擦れによる着用者の不快感をより効果的に低減することができるため、非常に優れた着け心地を実現可能である。また、ナプキン１では、吸収性コア２０の変形や位置ずれの発生をより効果的に抑制することができるため、例えば着用者の寝返りなどの動作時における液漏れをより確実に防止することができる。
【００３６】
吸収性コア２０に用いる吸水性繊維としては、例えば、針葉樹パルプや広葉樹パルプ等の木材パルプ、綿パルプや麻パルプ等の非木材パルプ等や、カチオン化パルプ、マーセル化パルプ等の変性パルプ等のパルプ繊維、レーヨン繊維、コットン繊維、酢酸セルロースなどのセルロース系吸水性繊維から１種又は２種以上を選択可能である。
【００３７】
また、吸収性コア２０に用いる合成繊維としては、例えば、ポリエチレン、ポリプロピレン等のポリオレフィン；ポリエチレンテレフタレート等のポリエステル；ナイロン６、ナイロン６６等のポリアミド；ポリアクリル酸、ポリメタクリル酸アルキルエステル、ポリ塩化ビニル、ポリ塩化ビニリデン等が挙げられ、これらの１種を単独で又は２種以上を組み合わせて用いることができる。
【００３８】
尚、吸収性コア２０に用いる合成繊維は、１種類の合成樹脂（熱可塑性樹脂）又は２種類以上の合成樹脂を混合したブレンドポリマーからなる単一繊維でもよく、あるいは複合繊維でもよい。ここでいう複合繊維は、成分の異なる２種類以上の合成樹脂を紡糸口金で複合し、同時に紡糸して得られる合成繊維（熱可塑性繊維）で、複数の成分がそれぞれ繊維の長さ方向に連続した構造で、単繊維内で相互接着しているものをいう。複合繊維の形態には、芯鞘型、サイドバイサイド型等があり、特に制限されない。
【００３９】
吸収性コア２０における合成繊維の配合率は、好ましくは２．５重量％以上であり、より好ましくは５重量％以上である。これにより、吸収性コア２０の柔らかい質感がより良好に得られる。また、吸収性コア２０における合成繊維の配合比は、好ましくは６０重量％以下であり、より好ましくは５０％以下である。これにより、吸収性コア２０におけるより良好な吸液性を得ることができる。
【００４０】
なお、この吸収性コア２０における合成繊維の配合率の好ましい範囲は、吸収性コア２０全体の平均値であれば、吸収性コア２０全体の柔軟性が良好になる。一方で、当該好ましい範囲が吸収性コア２０の中間部２２における平均値であれば、排泄部に接する部分及びその近傍での吸液性能を良好に保ちつつ、十分な液状物を吸液した後の中間部２２が一層柔らかく着用者にフィットし易くなる。また、中間部２２における合成繊維の配合率が、上述した好ましい範囲であれば、中間部２２の幅狭の形状と相まって、吸収性コア２０が着用者の鼠蹊部から受ける力によっても壊れにくくなる。
【００４１】
また、吸収性コア２０における合成繊維の配合率は、高坪量部２５において低坪量部２４よりも低くすることができる。これにより、吸収性コア２０では、中間部２２のＹ軸方向中央部以外の部分の柔軟性を維持しつつ、着用者の排泄部に対向する中間部２２のＹ軸方向中央部における吸液性を高めることができる。したがって、吸収性コア２０において充分な吸液量と優れた着け心地とを両立させやすくなる。
【００４２】
更に、吸収性コア２０では、必要に応じて、合成繊維を特定の方向に配向させることによって物理的特性を変化させることができる。例えば、吸収性コア２０では、中間部２２における合成繊維をＹ軸方向に配向させることができる。これにより、吸収性コア２０では、Ｙ軸方向に延びる合成繊維によって、中間部２２のＹ軸方向の寸法の変化を妨げる作用が得られる。
【００４３】
より詳細に、中間部２２は、着用者の鼠蹊部から受ける圧力によってＹ軸方向に圧縮変形しているとき、Ｙ軸方向に配向した合成繊維の弾性力によって元の寸法に戻ろうとする。これにより、中間部２２は、着用者の鼠蹊部に沿って常にフィットした状態を維持することができる。したがって、ナプキン１では、着用者の鼠蹊部と中間部２２との間に隙間が発生しにくいため、液漏れを防止することができる。
【００４４】
また、中間部２２は、吸水性繊維が液状物を吸収して膨潤すると、ＸＹ平面に沿って膨張しようとする。しかしながら、中間部２２では、Ｙ軸方向に沿って吸水性繊維を支持する合成繊維によってＹ軸方向膨張が妨げられる。これにより、ナプキン１では、中間部２２のＹ軸方向の膨張が抑制されるため、吸液後における着用者の鼠蹊部に加わる圧力が増大しにくい。
【００４５】
吸収性コア２０には、吸水性繊維及び合成繊維以外に、例えば、吸水性ポリマーが含まれていてもよい。具体的に、吸水性ポリマーとしては、例えば、ポリアクリル酸ナトリウム、アクリル酸−ビニルアルコール共重合体、ポリアクリル酸ナトリウム架橋体、でんぷん−アクリル酸グラフト共重合体、イソブチレン−無水マレイン酸共重合体及びそのケン化物、ポリアスパラギン酸から１種又は２種以上を選択可能である。
【００４６】
（吸収性コア２０の溝部２６）
吸収性コア２０には、Ｚ軸方向上側から下側に凹む溝部２６が形成されている。図４に示すように、溝部２６は、Ｘ軸方向に延び、Ｙ軸方向に配列された縦溝と、Ｙ軸方向に延び、Ｘ軸方向に配列された横溝と、を含む。溝部２６は、Ｚ軸方向の寸法が小さく、つまり肉薄であるため、剛性が低くなっている。したがって、吸収性コア２０には、溝部２６を起点とする変形が発生しやすい。
【００４７】
つまり、吸収性コア２０に溝部２６を設けることにより、吸収性コア２０の変形の起点を予め定めることができる。これにより、ナプキン１では、着用時の吸収性コア２０の変形を制御することができ、例えば着用者の寝返りなどの動作時における吸収性コア２０の意図しない変形の発生を抑制することができる。これにより、ナプキン１では更に優れた着け心地が得られる。
【００４８】
また、図４に示すように、溝部２６の溝幅は一定ではなく、吸収性コア２０には相互に異なる溝幅の溝部２６を形成することができる。吸収性コア２０では、溝幅の大きい溝部２６ほど変形の起点となりやすい。このため、吸収性コア２０に求められる変形に応じて、大きい変形を生じさせたい領域の溝部２６の溝幅を大きく、変形を小さく留めたい領域の溝部２６の溝幅を小さく形成することができる。
【００４９】
（コアラップシート３０の延出部３１）
図５は、図３に示す吸収体１１のＹ軸方向端部を拡大して示している。コアラップシート３０は、中間部２２に対してＹ軸方向に幅広に形成されており、中間部２２のＹ軸方向両側に延出する延出部３１を有する。延出部３１は、吸収性コア２０のＺ軸方向下面に沿うように、Ｚ軸方向上側の部分が折り畳まれている。つまり、延出部３１は、２枚のシートが重なり合った構成を有する。
【００５０】
ナプキン１では、着用者の鼠蹊部が中間部２２からの圧力を受ける前に、中間部２２よりＹ軸方向外側に延出する延出部３１から弱い圧力を受ける。これにより、着用者の鼠蹊部に加わる圧力の変化を緩やかにすることができるため、着用者が中間部２２から受ける圧力による違和感を低減することができる。また、着用者の鼠蹊部から中間部２２に加わる圧力が低減されるため、中間部２２の変形が抑制される。
【００５１】
［その他の実施形態］
以上、本発明の各実施形態について説明したが、本発明は上述の実施形態にのみ限定されるものではなく、本発明の要旨を逸脱しない範囲内において種々変更を加え得ることは勿論である。例えば、本発明は、生理用ナプキン以外の吸収性物品に適用することも可能である。このような吸収性物品としては、例えば、失禁パット、おりものシート、使い捨ておむつなどが挙げられる。
【符号の説明】
【００５２】
１…ナプキン
１１…吸収体
１２…表面シート
１３…裏面シート
１４…サイドシート
２０…吸収性コア
２１…前方部
２２…中間部
２３…後方部
２４…低坪量部
２５…高坪量部
２６…溝部
３０…コアラップシート
３１…延出部
【図１】
2020039533.tif 000003
【図２】
2020039533.tif 000004
【図３】
2020039533.tif 000005
【図４】
2020039533.tif 000006
【図５】
2020039533.tif 000007